【手続補正書】
【提出日】平成18年12月7日(2006.12.7)
【手続補正１】
【補正対象書類名】明細書
【補正対象項目名】特許請求の範囲
【補正方法】変更
【補正の内容】
【特許請求の範囲】
【請求項１】  処理データと処理時刻情報を示す時間データとを対応づけてメモリデバイスに複数格納するとともに、前記複数の時間データを前記メモリデバイスから読み出して時間順に配列して表示装置に表示させるアプリケーションを実行する情報処理方法において、
前記アプリケーションを選択して実行する第１ステップと、
前記アプリケーションの実行時に、前記複数の時間データから、前記メモリデバイスに格納された最新の処理データと対応付けられた最新時間データを含む所定時間範囲の時間データを抽出して一括表示する第２ステップと
を含むことを特徴とする情報処理方法。
【請求項２】  請求項１に記載の情報処理方法において、
前記表示された所定時間範囲の時間データに対して指示がなされると、当該指示された時間データが前記最新時間データかを判断する第３ステップと、
前記指示された時間データが最新時間データであれば、当該時間データに対応する処理データを編集モードで開き、別の時間データであれば、当該時間データに対応する処理データを読み出しモードで開く第４ステップとをさらに含むことを特徴とする情報処理方法。
【請求項３】  請求項２に記載の情報処理方法において、
前記第４ステップで前記時間データに対応する処理データを編集モードで開いたときに、当該処理データに添付する画像を選択指示されると、当該選択指示された画像が前記処理データよりも前に処理されたか否かを判断する第５ステップと、
前記選択指示された画像が前記処理データよりも前に処理された画像のときには警告する第６ステップと
をさらに含むことを特徴とする情報処理方法。
【請求項４】  請求項１に記載の情報処理方法において、
前記所定時間範囲を、暦上の複数の時間分割単位にまたがるように設定したことを特徴とする情報処理方法。
【請求項５】  請求項１に記載の情報処理方法において、
前記所定時間範囲の略中心位置に、前記アプリケーションが現在実行されている時点の日にちを前記時間データとして含むことを特徴とする情報処理方法。
【請求項６】  請求項５に記載の情報処理方法において、
前記略中心位置と、前記略中心位置より前と、前記略中心位置後とで表示形態を互いに異ならせることを特徴とする情報処理方法。
【請求項７】  請求項６に記載の情報処理方法において、
互いに異ならせる前記表示形態は、背景表示の色および／またはパターンであることを特徴とする情報処理方法。
【請求項８】  日付情報を含んだ日記データと処理時刻情報を含んだメモデータとを作成するアプリケーションによる編集処理データのメモリデバイスへの格納と読み出しを行う情報処理方法において、
前記アプリケーションによって編集処理しようとする日記データと日付の一致する処理時刻情報を含むメモデータを前記メモリデバイスから読み出してメモデータリストを表示する第１ステップと、
前記表示されたメモデータリストから任意のメモデータの選択を受け付ける第２ステップと、
編集処理した日記データと選択された前記メモデータとを合成して前記メモリデバイスに登録する第３ステップと
を含むことを特徴とする情報処理方法。
【請求項９】  日付情報を含んだ日記データと処理時刻情報を含んだメモデータとを作成するアプリケーションによる編集処理データのメモリデバイスへの格納と読み出しを行う情報処理方法において、
前記アプリケーションによって編集処理しようとする日記データと日付の一致する処理時刻情報を含むメモデータを前記メモリデバイスから読み出してメモデータリストを表示する第１ステップと、
前記表示されたメモデータリストから任意のメモデータの選択を受け付ける第２ステップと、
前記選択されたメモデータを前記メモデータリストから削除し、編集処理した日記データと削除されていないメモデータとを合成して前記メモリデバイスに登録する第３ステップとを含むことを特徴とする情報処理方法。
【請求項１０】  処理データと処理時刻情報を示す時間データとを対応づけてメモリデバイスに複数格納するとともに、前記複数の時間データを前記メモリデバイスから読み出して時間順に配列して表示装置に表示させるアプリケーションを実行する情報処理装置において、
前記アプリケーションを選択して実行する第１手段と、
前記アプリケーションの実行時に、前記複数の時間データから、前記メモリデバイスに格納された最新の処理データと対応付けられた最新時間データを含む所定時間範囲の時間データを抽出して一括表示する第２手段とを含むことを特徴とする情報処理装置。
【請求項１１】  請求項１０に記載の情報処理装置において、
前記表示された所定時間範囲の時間データに対して指示がなされると、当該指示された時間データが前記最新時間データかを判断する第３手段と、
前記指示された時間データが最新時間データであれば、当該時間データに対応する処理データを編集モードで開き、別の時間データであれば、当該時間データに対応する処理データを読み出しモードで開く第４手段とをさらに含むことを特徴とする情報処理装置。
【請求項１２】  請求項１１に記載の情報処理装置において、
前記第４手段で前記時間データを編集モードで開いたときに、当該処理データに添付する画像を選択指示されると、当該選択指示された画像が前記処理データよりも前に処理されたか否かを判断する第５手段と、
前記選択指示された画像が前記処理データよりも前に処理された画像のときには警告する第６手段と
をさらに含むことを特徴とする情報処理装置。
【請求項１３】  請求項１０に記載の情報処理装置において、
前記所定時間範囲を、暦上の複数の時間分割単位にまたがるように設定したことを特徴とする情報処理装置。
【請求項１４】  請求項１０に記載の情報処理装置において、
前記所定時間範囲の略中心位置に、前記アプリケーションが現在実行されている時点の日にちを前記時間データとして含むことを特徴とする情報処理装置。
【請求項１５】  請求項１４に記載の情報処理装置において、
前記略中心位置と、前記略中心位置より前と、前記略中心位置後とで表示形態を互いに異ならせることを特徴とする情報処理装置。
【請求項１６】  請求項１５に記載の情報処理装置において、
互いに異ならせる前記表示形態は、背景表示の色および／またはパターンであることを特徴とする情報処理装置。
【請求項１７】  日付情報を含んだ日記データと処理時刻情報を含んだメモデータとを作成するアプリケーションによる編集処理データのメモリデバイスへの格納と読み出しを行う情報処理装置において、
前記アプリケーションによって編集処理しようとする日記データと日付の一致する処理時刻情報を含むメモデータを前記メモリデバイスから読み出してメモデータリストを表示する第１手段と、
前記表示されたメモデータリストから任意のメモデータの選択を受け付ける第２手段と、
編集処理した日記データと選択された前記メモデータとを合成して前記メモリデバイスに登録する第３手段と
を含むことを特徴とする情報処理装置。
【請求項１８】  日付情報を含んだ日記データと処理時刻情報を含んだメモデータとを作成するアプリケーションによる編集処理データのメモリデバイスへの格納と読み出しを行う情報処理装置において、
前記アプリケーションによって編集処理しようとする日記データと日付の一致する処理時刻情報を含むメモデータを前記メモリデバイスから読み出してメモデータリストを表示する第１手段と、
前記表示されたメモデータリストから任意のメモデータの選択を受け付ける第２手段と、
前記選択されたメモデータを前記メモデータリストから削除し、編集処理した日記データと削除されていないメモデータとを合成して前記メモリデバイスに登録する第３手段とを含むことを特徴とする情報処理装置。
【手続補正２】
【補正対象書類名】明細書
【補正対象項目名】００１８
【補正方法】変更
【補正の内容】
【００１８】
【課題を解決するための手段】
上記の課題を解決するために、本発明は、処理データと処理時刻情報を示す時間データとを対応づけてメモリデバイスに複数格納するとともに、前記複数の時間データを前記メモリデバイスから読み出して時間順に配列して表示装置に表示させるアプリケーションを実行する情報処理方法において、前記アプリケーションを選択して実行する第１ステップと、前記アプリケーションの実行時に、前記複数の時間データから、前記メモリデバイスに格納された最新の処理データと対応付けられた最新時間データを含む所定時間範囲の時間データを抽出して一括表示する第２ステップとを含むことを特徴とする情報処理方法を提供する。
【手続補正３】
【補正対象書類名】明細書
【補正対象項目名】００１９
【補正方法】変更
【補正の内容】
【００１９】
上記情報処理方法にあっては、前記表示された所定時間範囲の時間データに対して指示がなされると、当該指示された時間データが前記最新時間データかを判断する第３ステップと、前記指示された時間データが最新時間データであれば、当該時間データに対応する処理データを編集モードで開き、別の時間データであれば、当該時間データに対応する処理データを読み出しモードで開く第４ステップとをさらに含むことができる。
【手続補正４】
【補正対象書類名】明細書
【補正対象項目名】００２０
【補正方法】変更
【補正の内容】
【００２０】
上記情報処理方法にあっては、前記第４ステップで前記時間データに対応する処理データを編集モードで開いたときに、当該処理データに添付する画像を選択指示されると、当該選択指示された画像が前記処理データよりも前に処理されたか否かを判断する第５ステップと、前記選択指示された画像が前記処理データよりも前に処理された画像のときには警告する第６ステップとをさらに含むことができる。
【手続補正５】
【補正対象書類名】明細書
【補正対象項目名】００２１
【補正方法】変更
【補正の内容】
【００２１】
上記情報処理方法にあっては、前記所定時間範囲を、暦上の複数の時間分割単位にまたがるように設定したものであって良い。
【手続補正６】
【補正対象書類名】明細書
【補正対象項目名】００２２
【補正方法】変更
【補正の内容】
【００２２】
上記情報処理方法にあっては、前記所定時間範囲の略中心位置に、前記アプリケーションが現在実行されている時点の日にちを前記時間データとして含むことができる。
【手続補正７】
【補正対象書類名】明細書
【補正対象項目名】００２３
【補正方法】変更
【補正の内容】
【００２３】
上記情報処理方法にあっては、前記略中心位置と、前記略中心位置より前と、前記略中心位置後とで表示形態を互いに異ならせることができる。
【手続補正８】
【補正対象書類名】明細書
【補正対象項目名】００２４
【補正方法】変更
【補正の内容】
【００２４】
上記情報処理方法にあっては、互いに異ならせる前記表示形態は、背景表示の色および／またはパターンであって良い。
【手続補正９】
【補正対象書類名】明細書
【補正対象項目名】００２５
【補正方法】変更
【補正の内容】
【００２５】
上記の課題を解決するために、本発明はさらに、日付情報を含んだ日記データと処理時刻情報を含んだメモデータとを作成するアプリケーションによる編集処理データのメモリデバイスへの格納と読み出しを行う情報処理方法において、前記アプリケーションによって編集処理しようとする日記データと日付の一致する処理時刻情報を含むメモデータを前記メモリデバイスから読み出してメモデータリストを表示する第１ステップと、前記表示されたメモデータリストから任意のメモデータの選択を受け付ける第２ステップと、編集処理した日記データと選択された前記メモデータとを合成して前記メモリデバイスに登録する第３ステップとを含むことを特徴とする情報処理方法を提供する。
【手続補正１０】
【補正対象書類名】明細書
【補正対象項目名】００２６
【補正方法】変更
【補正の内容】
【００２６】
上記の課題を解決するために、本発明はさらに、日付情報を含んだ日記データと処理時刻情報を含んだメモデータとを作成するアプリケーションによる編集処理データのメモリデバイスへの格納と読み出しを行う情報処理方法において、前記アプリケーションによって編集処理しようとする日記データと日付の一致する処理時刻情報を含むメモデータを前記メモリデバイスから読み出してメモデータリストを表示する第１ステップと、前記表示されたメモデータリストから任意のメモデータの選択を受け付ける第２ステップと、前記選択されたメモデータを前記メモデータリストから削除し、編集処理した日記データと削除されていないメモデータとを合成して前記メモリデバイスに登録する第３ステップとを含むことを特徴とする情報処理方法を提供する。
【手続補正１１】
【補正対象書類名】明細書
【補正対象項目名】００２７
【補正方法】変更
【補正の内容】
【００２７】
上記の課題を解決するために、本発明はさらに、処理データと処理時刻情報を示す時間データとを対応づけてメモリデバイスに複数格納するとともに、前記複数の時間データを前記メモリデバイスから読み出して時間順に配列して表示装置に表示させるアプリケーションを実行する情報処理装置において、前記アプリケーションを選択して実行する第１手段と、前記アプリケーションの実行時に、前記複数の時間データから、前記メモリデバイスに格納された最新の処理データと対応付けられた最新時間データを含む所定時間範囲の時間データを抽出して一括表示する第２手段とを含むことを特徴とする情報処理装置を提供する。
【手続補正１２】
【補正対象書類名】明細書
【補正対象項目名】００２８
【補正方法】変更
【補正の内容】
【００２８】
上記情報処理装置にあっては、前記表示された所定時間範囲の時間データに対して指示がなされると、当該指示された時間データが前記最新時間データかを判断する第３手段と、前記指示された時間データが最新時間データであれば、当該時間データに対応する処理データを編集モードで開き、別の時間データであれば、当該時間データに対応する処理データを読み出しモードで開く第４手段とをさらに含むことができる。
【手続補正１３】
【補正対象書類名】明細書
【補正対象項目名】００２９
【補正方法】変更
【補正の内容】
【００２９】
上記情報処理装置にあっては、前記第４手段で前記時間データを編集モードで開いたときに、当該処理データに添付する画像を選択指示されると、当該選択指示された画像が前記処理データよりも前に処理されたか否かを判断する第５手段と、前記選択指示された画像が前記処理データよりも前に処理された画像のときには警告する第６手段とをさらに含むことができる。
【手続補正１４】
【補正対象書類名】明細書
【補正対象項目名】００３０
【補正方法】変更
【補正の内容】
【００３０】
上記情報処理装置にあっては、前記所定時間範囲を、暦上の複数の時間分割単位にまたがるように設定したものであって良い。
【手続補正１５】
【補正対象書類名】明細書
【補正対象項目名】００３１
【補正方法】変更
【補正の内容】
【００３１】
上記情報処理装置にあっては、前記所定時間範囲の略中心位置に、前記アプリケーションが現在実行されている時点の日にちを前記時間データとして含むことができる。
【手続補正１６】
【補正対象書類名】明細書
【補正対象項目名】００３２
【補正方法】変更
【補正の内容】
【００３２】
上記情報処理装置にあっては、前記略中心位置と、前記略中心位置より前と、前記略中心位置後とで表示形態を互いに異ならせることができる。
【手続補正１７】
【補正対象書類名】明細書
【補正対象項目名】００３３
【補正方法】変更
【補正の内容】
【００３３】
上記情報処理装置にあっては、互いに異ならせる前記表示形態は、背景表示の色および／またはパターンであって良い。
【手続補正１８】
【補正対象書類名】明細書
【補正対象項目名】００３４
【補正方法】変更
【補正の内容】
【００３４】
上記の課題を解決するために、本発明はさらに、日付情報を含んだ日記データと処理時刻情報を含んだメモデータとを作成するアプリケーションによる編集処理データのメモリデバイスへの格納と読み出しを行う情報処理装置において、前記アプリケーションによって編集処理しようとする日記データと日付の一致する処理時刻情報を含むメモデータを前記メモリデバイスから読み出してメモデータリストを表示する第１手段と、前記表示されたメモデータリストから任意のメモデータの選択を受け付ける第２手段と、編集処理した日記データと選択された前記メモデータとを合成して前記メモリデバイスに登録する第３手段とを含むことを特徴とする情報処理装置を提供する。
【手続補正１９】
【補正対象書類名】明細書
【補正対象項目名】００３５
【補正方法】変更
【補正の内容】
【００３５】
上記の課題を解決するために、本発明はさらに、日付情報を含んだ日記データと処理時刻情報を含んだメモデータとを作成するアプリケーションによる編集処理データのメモリデバイスへの格納と読み出しを行う情報処理装置において、前記アプリケーションによって編集処理しようとする日記データと日付の一致する処理時刻情報を含むメモデータを前記メモリデバイスから読み出してメモデータリストを表示する第１手段と、前記表示されたメモデータリストから任意のメモデータの選択を受け付ける第２手段と、前記選択されたメモデータを前記メモデータリストから削除し、編集処理した日記データと削除されていないメモデータとを合成して前記メモリデバイスに登録する第３手段とを含むことを特徴とする情報処理装置を提供する。